(57)【要約】【課題】  無線式にして水漏れセンサの設置を容易にすると共に、インターホン装置設置後でも容易に水漏れセンサの追加を可能とし、更に設置後のメンテナンスも必要ないインターホン装置を提供する。【解決手段】  水漏れセンサ３を、漏水によって自己発電可能に構成された漏水検知ユニット３２と、前記漏水検知ユニット３２の漏水検知信号にＩＤ番号を加えて構成される漏水警報信号を無線送信する送信ユニット３１とで構成した。漏水検知ユニットを３２を、アルミ３５と吸水性シート３６と木炭３７で構成し、送信ユニット３１を、ＩＤ番号を設定するＩＤ番号設定部３３と、漏水検知ユニット３２から供給される電力により漏水検知信号とＩＤ番号とからなる漏水警報信号を無線送信する警報送信部３４とで構成した。【選択図】  図３
2007096669.tif 000002
【特許請求の範囲】
【請求項１】
玄関に設置されて居住者を呼び出すための玄関子機と、室内に設置されて来訪者と通話するための居室親機とを有し、前記居室親機には、水漏れを検知する水漏れセンサが接続されて成るインターホン装置であって、
前記水漏れセンサは、漏水によって自己発電可能に構成された漏水検知ユニットと、前記漏水検知ユニットの漏水検知信号にＩＤ番号を加えて構成される漏水警報信号を無線送信する送信ユニットとを有し、
前記送信ユニットは、ＩＤ番号を設定するＩＤ番号設定部と、前記漏水検知ユニットから供給される電力により漏水検知信号とＩＤ番号とからなる漏水警報信号を無線送信する警報送信部とから構成され、
前記居室親機は、前記水漏れセンサが発した漏水警報信号を無線受信する警報受信部と、発信元を識別するためのＩＤ番号識別部と、漏水発生を警報音や音声合成音で報知するための親機スピーカとを備えたことを特徴とするインターホン装置。
【請求項２】
前記居室親機は、前記受信したＩＤ番号に基づいて水漏警報の発生又は発生箇所を表示する水漏警報表示部を有することを特徴とする請求項１に記載のインターホン装置。
【請求項３】
前記居室親機及び前記水漏れセンサが集合住宅の夫々の住戸に設置され、管理室親機が接続されている場合にあっては、前記居室親機は、前記管理室親機に通報するための水漏警報通報部を有することを特徴とする請求項１又は２に記載のインターホン装置。
【請求項４】
前記玄関子機は水漏警報を報知する子機スピーカを有し、前記居室親機は、前記水漏れセンサの漏水警報信号を無線受信したら、前記親機スピーカにより警報音や音声合成音で報知するのに加えて、前記子機スピーカを報知動作させることを特徴とする請求項１乃至３の何れかに記載のインターホン装置。
【請求項５】
前記漏水検知ユニットは、アルミニウム、木炭、塩分を含む吸水性シートを有し、漏水が前記吸水性シートに吸水されることにより化学反応して自己発電することを特徴とする請求項１乃至４の何れかに記載のインターホン装置。
【発明の詳細な説明】
【技術分野】
【０００１】
本発明はインターホン装置に関し、特に複数の水漏れセンサが接続されて水漏れの発生を報知する機能を備えたインターホン装置に関する。
【背景技術】
【０００２】
従来のインターホン装置に、水漏れセンサが接続されて水道等の配管の水漏れや洗濯機の水漏れを検知可能としたものがある。例えば、特許文献１に記載されているインターホン装置では、セキュリティーインターホン装置（居室親機）にコントローラが接続され、そのコントローラに水漏れセンサが接続されて、水漏れセンサが水漏れを検知したらコントローラが水漏れ発生信号を居室親機に送出している。また、コントローラは居室親機から電源の供給を受けるか自身が直接電源に接続されて、接続された水漏れセンサを駆動している。
【特許文献１】特開２０００−３６０８９号公報（第５図）
【発明の開示】
【発明が解決しようとする課題】
【０００３】
しかしながら、上記従来のインターホン装置は、水漏れセンサをコントローラ等に接続する配線が必要なため設置作業が厄介であった。また、上記特許文献１に示すように居室親機にコントローラを介在させて、水漏れセンサをコントローラに接続する構成のものは、コントローラに端子台及びインターフェイス回路が必要であるし、居室親機に直接水漏れセンサーを接続可能としたものは居室親機に端子台およびインタフェイス回路が必要なため、一度インターホン装置を設置したあとで水漏れセンサーを追加することは困難であった。
そのため、水漏れセンサを無線式にすることで、インターフェイス回路を不要にすると共に、居室親機或いはコントローラまでの配線を無くす形態が考えられるが、無線式にしても個々の水漏れセンサには電源が必要であり、そのための配線が必要であるし、電源の配線も無くすために電池式にした場合は、配線は全く必要無くなるが定期的な電池の交換が必要であり、無線式にすることで新たな問題が生じることになる。
【０００４】
そこで、本発明はこのような問題点に鑑み、無線式にして水漏れセンサの設置を容易にすると共に、インターホン装置設置後でも容易に水漏れセンサの追加を可能とし、更に設置後のメンテナンスも必要ないインターホン装置を提供することを目的とする。
【課題を解決するための手段】
【０００５】
上記課題を解決する為に、請求項１に記載の発明は、玄関に設置されて居住者を呼び出すための玄関子機と、室内に設置されて来訪者と通話するための居室親機とを有し、居室親機には、水漏れを検知する水漏れセンサが接続されて成るインターホン装置であって、水漏れセンサは、漏水によって自己発電可能に構成された漏水検知ユニットと、漏水検知ユニットの漏水検知信号にＩＤ番号を加えて構成される漏水警報信号を無線送信する送信ユニットとを有し、送信ユニットは、ＩＤ番号を設定するＩＤ番号設定部と、漏水検知ユニットから供給される電力により漏水検知信号とＩＤ番号とからなる漏水警報信号を無線送信する警報送信部とから構成され、居室親機は、水漏れセンサが発した漏水警報信号を無線受信する警報受信部と、発信元を識別するためのＩＤ番号識別部と、漏水発生を警報音や音声合成音で報知するための親機スピーカとを備えたことを特徴とする。
この構成により、水漏れセンサを無線式にするので、信号伝送のための配線が必要ないし、センサ個々に対応するインターフェイスの必要が無くなるためインターホン装置を設置したあとも容易に水漏れセンサの追加ができる。そして、水漏れセンサは自己発電して信号を送信するので電源の確保も必要なく、水漏れセンサを容易に設置できる。また、電池も使用しないので、電池交換等の定期的なメンテナンスが必要ない。
【０００６】
請求項２の発明は、請求項１に記載の発明において、居室親機は、受信したＩＤ番号に基づいて水漏警報の発生又は発生箇所を表示する水漏警報表示部を有することを特徴とする。
この構成により、水漏れを検知した水漏れセンサを居室親機にて特定でき、何処で水漏れが発生したか場所の特定に時間を要するようなことがない。
【０００７】
請求項３の発明は、請求項１又は２に記載の発明において、居室親機及び前記水漏れセンサが集合住宅の夫々の住戸に設置され、管理室親機が接続されている場合にあっては、居室親機は、管理室親機に通報するための水漏警報通報部を有することを特徴とする。
この構成により、水漏れが発生した居室以外に管理室にも報知するので、居室に居住者が不在であっても、水漏れの発生を管理者等が認識でき、速やかな対応が可能となる。
【０００８】
請求項４の発明は、請求項１乃至３の何れかに記載の発明において、玄関子機は水漏警報を報知する子機スピーカを有し、居室親機は、水漏れセンサの漏水警報信号を無線受信したら、親機スピーカにより警報音や音声合成音で報知するのに加えて、子機スピーカを報知動作させることを特徴とする。
この構成により、水漏れが発生したら居室内だけでなく居室外の玄関でも報知するので、居室に居住者が不在であっても、水漏れの発生を隣近所に報知でき、速やかな対応が可能となる。
【０００９】
請求項５の発明は、請求項１乃至４の何れかに記載の発明において、漏水検知ユニットは、アルミニウム、木炭、塩分を含む吸水性シートを有し、漏水が吸水性シートに吸水されることにより化学反応して自己発電することを特徴とする。
この構成により、漏水検知ユニットを簡易な構成で安価に作成できるし、水銀などの有害な物質を使用することも無いため環境にやさしい構成にできる。
【発明の効果】
【００１０】
本発明によれば、水漏れセンサを無線式にするので、信号伝送のための配線が必要ないし、センサ個々に対応するインターフェイスの必要が無くなるためインターホン装置を設置したあとも容易に水漏れセンサの追加ができる。そして、水漏れセンサは自己発電して信号を送信するので電源の確保も必要なく、水漏れセンサを容易に設置できる。また、電池も使用しないので、電池交換等の定期的なメンテナンスが必要無い。
【発明を実施するための最良の形態】
【００１１】
以下、本発明を具体化した実施の形態を、図面に基づいて詳細に説明する。図１は本発明に係るインターホン装置の一例を示す構成図であり、１は玄関に設置されて居住者を呼び出すための玄関子機、２は室内に設置されて来訪者と通話するための居室親機、３は水漏れセンサを示している。
【００１２】
玄関子機１は、子機スピーカ１０、子機マイク１１、呼出ボタン１２、来訪者を撮像するためのカメラ１３等を有している。居室親機２は、親機スピーカ１４、親機マイク１５、通話ボタン１６、カメラ１３の撮像映像を出画するモニタ１７、警報停止ボタン１８等を有している。また、水漏れセンサ３は、上水道，下水道等の配管部位、浴室、トイレ、洗濯機等の下部、更には雨水の浸入が考えられる壁面の内部、天井裏等の複数ヶ所に設置され、水漏れや雨漏りをいち早く検知できるよう設置される。
【００１３】
居室親機２は図２の回路ブロック図に示す回路構成となっている。図２において、２０はタッチパネル、２１は水漏れセンサ３から発信された警報信号を受信する警報受信部、２２は外部に警報信号を出力するための水漏警報通報部、２４は受信した信号を識別するＩＤ番号識別部、２５は通話回路、２６は居室親機２を制御する親機ＣＰＵ、２７はタッチパネル表示情報等を記憶するメモリ、２８は玄関子機１を接続する為の子機ＩＦ（インターフェイス）であり、親機ＣＰＵ２６には水漏れセンサ設定プログラム２９が組み込まれている。尚、モニタ１７はＬＣＤで構成され、前面にタッチパネル２０を備え、各種設定をするための設定操作部と、水漏れが発生した際にその発生を表示する水漏警報表示部を兼ねている。
【００１４】
水漏れセンサ３は、図３に示すように送信ユニット３１と漏水検知ユニット３２で構成されている。送信ユニット３１は、発信信号にＩＤ番号を付加するためのＩＤ番号設定部３３と、水漏れ発生を無線送信する警報送信部３４を備えている。漏水検知ユニット３２は、上部に開口部３８ａを有する容器３８の中に、アルミニウムで形成されたプラス電極３５ａ、マイナス電極３５ｂを兼ねたシート状のアルミニウム３５、塩分を含む例えばペーパータオルのような吸水性シート３６、木炭３７を用いて構成され、プラス電極３５ａを直接木炭３７に接触させ、アルミニウム３５を木炭３７を包むように配置したペーパータオルの外側に接触させてある。そして、プラス電極３５ａが送信ユニット３１のプラス電源端子４０ａと接続され、マイナス電極３５ｂが送信ユニット３１のマイナス電源端子４０ｂと接続されている。
【００１５】
このように構成したインターホン装置は次のように動作する。尚、玄関子機１からの呼び出しに対する居室親機２での応答動作は、従来のインターホン装置と同様であるし本発明の要旨ではないので省略し、水漏れ検知動作について説明する。
最初に居室親機２により水漏れセンサ３のＩＤ等の登録・変更設定がなされる。居室親機２のタッチパネル２０で所定の操作をすることで、水漏れセンサ設定プログラム２９が起動し、モニタ１７に取付位置を選択する一覧表がタッチパネル２０に表示される。この一覧表から夫々の水漏れセンサ３のＩＤ番号と取り付け位置を登録する。取り付け位置は、あらかじめ“台所”や“浴室”などの単語やアイコンが居室親機のメモリ２７に記録されており、これらの表示を選択することで登録される。尚、この登録操作は、カタカナや漢字を選択して単語をつくる方式で登録しても良いし、居室親機２の親機マイク１５を用いて水漏れセンサ３のＩＤ番号ごとにメッセージをメモリ２７に録音（記録）する方式で登録しても良い。
【００１６】
こうして設定された水漏れセンサ３の開口部３８ａに水が浸入すると、水分が吸水性シート３６に吸い込まれ、吸水性シート３６に含まれていた塩分が溶け出した塩水中でアルミニウム製の−電極３５ｂは陽イオン（Ａｌ３＋）となって塩水中に溶け出し、電子（３ｅ−）を放出する。一方木炭３７の表面に含まれる酸素（Ｏ２）は、電子（４ｅ−）を取り込んで水（Ｈ２Ｏ）と化学反応し陰イオン（ＯＨ−）を放出する。この化学反応によって、プラス電極３５ａとマイナス電極３５ｂの間に約１ボルトの直流電圧が発生する。
【００１７】
プラス電極３５ａとマイナス電極３５ｂの間で発生した直流電圧は、送信ユニット３１に印加され、警報送信部３４はＩＤ設定部３３で設定されたＩＤ番号を読み込み、ＩＤ番号を加えた水漏警報信号を居室親機２に送信する。図１の矢印はこのＩＤ番号を加えた信号の送信を示している。こうして、水漏れセンサは自己発電して水漏警報信号を出力する。
【００１８】
居室親機２が水漏警報信号を受信すると、親機ＣＰＵ２６は、ＩＤ番号識別部２４で予め登録されているＩＤ番号を検索しＩＤ番号に該当する水漏れセンサ３の取り付け位置情報と関連づけし、モニタ１７に水漏れ警報と水漏れセンサ取り付け位置情報を表示させる。そして、同時に親機スピーカ１４より水漏警報音を出力させ、玄関子機１の子機スピーカ１０より水漏警報音を出力する制御を行う。
更に、居室親機２が集合住宅の居室に設置され、管理室親機（図示せず）が接続されている場合は、水漏警報通報部２２を介して管理室親機に水漏れ発生の通報を行う。尚、更に外部の監視センターや防災センターに接続されている場合は、当該センターに水漏れ発生の通報を行うと良い。
【００１９】
このように、水漏れセンサを無線式にすることで、信号伝送のための配線が必要ないし、センサ個々に対応するインターフェイスの必要が無くなるためインターホン装置を設置したあとも容易に水漏れセンサの追加ができる。そして、水漏れセンサは自己発電して信号を送信するので電源の確保も必要なく、水漏れセンサを容易に設置できる。また、電池も使用しないので、電池交換等の定期的なメンテナンスが必要無い。
また、個々の水漏れセンサはＩＤ番号を含む信号を発信するので、水漏れを検知した水漏れセンサを居室親機にて特定でき、何処で水漏れが発生したか場所の特定に時間を要するようなことがない。
更に、水漏れが発生したら居室内だけでなく玄関子機からも報知するので、水漏れの発生を隣近所に報知できるし、水漏警報通報部により管理室や他の離れた場所にも報知することができ、居室に居住者が不在であっても、外部に報知でき速やかな対応が可能となる。
また、水漏れセンサは、アルミニウム、木炭、塩分を含む吸水性シート等の安価な材料で作成でき、水銀などの有害な物質を使用することも無いため環境にやさしい構成にできる。
【００２０】
尚、上記実施形態では、漏水検知ユニット３２の自己発電させる構成を、アルミ３５、吸水性シート３６、木炭３７としているが、水の浸入を受けて発電するよう構成すれば良く、例えばアルミ箔を塩分を含む吸水性シートで包み、その周囲を更に銅テープで包んだ構成としても良い。この場合、水の浸入により銅テープがプラス極、アルミ箔がマイナス極になり、１ボルト程度で発電する。
【図面の簡単な説明】
【００２１】
【図１】本発明に係るインターホン装置の実施形態の一例を示す構成図である。
【図２】図１の居室親機の回路ブロック図である。
【図３】水漏れセンサの構成図である。
【符号の説明】
【００２２】
１・・玄関子機、２・・居室親機、３・・水漏れセンサ、１０・・子機スピーカ、１４・・親機スピーカ、１７・・モニタ、２０・・タッチパネル、２１・・警報受信部、２２・・水漏警報通報部、２４・・ＩＤ番号識別部、２６・・親機ＣＰＵ、３１・・送信ユニット、３２・・漏水検知ユニット、３３・・ＩＤ番号設定部、３４・・警報送信部、３５・・アルミニウム、３６・・吸水性シート、３７・・木炭。
【図１】
2007096669.tif 000003
【図２】
2007096669.tif 000004
【図３】
2007096669.tif 000005